(57)【要約】【課題】取付作業性に優れたコネクタハウジングの取付構造を提供する。【解決手段】内装材に形成された取付孔に前側から挿入してコネクタハウジング３を内装材に取り付ける。コネクタハウジング３は、取付孔の前側に係止するコネクタ受け部材５と、取付孔に挿通された本体４とを備え、本体４の左右の壁部１１，１１に形成された係止片２１，２１が、取付孔の後方に係止されると共に、コネクタ受け部材５には、上下方向に複数のコネクタ挿入孔６，６が形成され、コネクタ挿入孔６，６側の左右の壁部１１，１１間には、これら左右の壁部１１，１１の内側への撓みを抑える基板及びコネクタが配置されており、壁部１１の左右外側に係止片２１，２１が形成されている。これによりＵＳＢコネクタ１０の引き抜き時、コネクタハウジング３の撓みを小さくして、コネクタハウジング３の抜けを防止することができる。【選択図】図３
2019121570.tif 000002
【特許請求の範囲】
【請求項１】
被取付部材に形成された取付孔に前後方向の一方側から挿入してコネクタハウジングを前記被取付部材に取り付けるコネクタハウジングの取付構造であって、
前記コネクタハウジングは、コネクタ受け部材と、前記取付孔に挿通された本体とを備え、
前記本体の左右の壁部に形成された係止部が、前記被取付部材に係止されると共に、
前記コネクタ受け部材には、上下方向に複数のコネクタ挿入孔が形成され、
前記左右の壁部間には、これら左右の壁部の撓みを抑える収納部材が配置されており、
前記壁部の左右に前記係止部が形成されていることを特徴とするコネクタハウジングの取付構造。
【請求項２】
複数の前記収納部材を備え、これら複数の収納部材のうち少なくとも１つは基板であり、もう一つは前記取付孔の他方側から装着されたコネクタであることを特徴とする請求項１記載のコネクタハウジングの取付構造。
【請求項３】
前記固定された基板に対して、前記装着されたコネクタが上方に配置されていることを特徴とする請求項２記載のコネクタハウジングの取付構造。
【発明の詳細な説明】
【技術分野】
【０００１】
本発明は、コネクタハウジングの取付構造に関する。
【背景技術】
【０００２】
従来、この種のものとして、取付部材の取付孔の一方側から挿入される第１のコネクタハウジングと、前記取付部材の取付孔の他方側から挿入される第２のコネクタハウジングとを備え、前記第１のコネクタハウジングは、前記取付孔の周縁に仮係止される仮係止部と前記第２のコネクタハウジングに係止されるロックアームとを有し、前記第２のコネクタハウジングは、前記第１のコネクタハウジングへの嵌合過程で前記仮係止部を解除位置に変位させる仮係止解除部と前記ロックアームを前記取付孔の周縁に仮係止させる状態に撓み変形させ、且つ、前記ロックアームを係止するロックアーム係止部と取付孔の挿入完了位置で前記取付孔の周縁に係止する本係止部とを有するコネクタ装置（例えば特許文献１）があり、このコネクタ装置では前記第１のコネクタハウジングには、各種周辺装置等のケーブルの端子を接続する複数のコネクタ部が左右に並んで配置されている。
【０００３】
また、車両に設けられた接続端子を包囲して前記車両に装着可能な本体部を備え、前記蓋部の前記裏面の他端側には、前記蓋部の幅方向両側から突出して前記本体部の他端側の幅方向両側に設けられた係止孔部に係止可能な一対の蓋係止片が設けられた車両用コネクタ接続部品（例えば特許文献２）があり、このコネクタ接続部品では１つのＵＳＢケーブルが接続される。
【先行技術文献】
【特許文献】
【０００４】
【特許文献１】特許第６１０１６６４号公報
【特許文献２】特開２０１６−９６１０２号公報
【発明の概要】
【発明が解決しようとする課題】
【０００５】
上記特許文献１のコネクタ装置では、取付孔の一方側から第１のコネクタハウジングを挿入し、取付孔の他方側から第２のコネクタハウジングを挿入し、両コネクタハウジングをロック構造により連結すると共に、取付孔に固定するものであり、また、特許文献２の車両用コネクタ接続部品も、一方側と他方側とから本体部と蓋部とを連結するものであるから、取付構造が複雑になると共に、取付作業性に劣る問題がある。
【０００６】
また、上記特許文献２の車両用コネクタ接続部品は、縦向きのＵＳＢコネクタを１つしか接続することができず、これに対して、上記特許文献１のコネクタ装置では、横に並べて３つコネクタを接続することができるが、横向きで左右に並べるとスペースを取るという問題がある。
【０００７】
そこで、本発明は上記した問題点に鑑み、コネクタハウジングの撓みを小さくして、抜けを防止することができるコネクタハウジングの取付構造を提供することを目的とし、加えて、取付作業性に優れたコネクタハウジングの取付構造を提供する。
【課題を解決するための手段】
【０００８】
上記目的を達成するために、請求項１に係る発明は、被取付部材に形成された取付孔に前後方向の一方側から挿入してコネクタハウジングを前記被取付部材に取り付けるコネクタハウジングの取付構造であって、前記コネクタハウジングは、コネクタ受け部材と、前記取付孔に挿通された本体とを備え、前記本体の左右の壁部に形成された係止部が、前記被取付部材に係止されると共に、前記コネクタ受け部材には、上下方向に複数のコネクタ挿入孔が形成され、前記左右の壁部間には、これら左右の壁部の撓みを抑える収納部材が配置されており、前記壁部の左右に前記係止部が形成されていることを特徴とする。
【０００９】
また、請求項２に係る発明は、複数の前記収納部材を備え、これら複数の収納部材のうち少なくとも１つは基板であり、もう一つは前記取付孔の他方側から装着されたコネクタであることを特徴とする。
【００１０】
また、請求項３に係る発明は、前記固定された基板に対して、前記装着されたコネクタが上方に配置されていることを特徴とする。
【発明の効果】
【００１１】
請求項１の構成によれば、コネクタ引き抜き時、コネクタハウジングの撓みを小さくして、抜けを防止することができる。また、取付作業性に優れ、さらに、上下方向に複数のコネクタ挿入孔が形成されているから、省スペース化が可能となる。
【００１２】
請求項２の構成によれば、異なる用途の収納部材を配置しつつ、コネクタハウジングの撓みを小さくできる。
【００１３】
請求項３の構成によれば、コネクタの装着作業を容易に行うことができる。
【図面の簡単な説明】
【００１４】
【図１】本発明の実施例１を示すコネクタハウジングの一方側から見た斜視図である。
【図２】同上、取付状態の他方側から見た斜視図である。
【図３】同上、コネクタ取付部にコネクタを取り付ける前における一方側から見た斜視図である。
【図４】同上、コネクタ取付部にコネクタを取り付ける前の他方側から見た斜視図である。
【図５】同上、側面図である。
【図６】同上、平面図である。
【図７】同上、底面図である。
【図８】同上、取付作業を説明する断面図であり、図８（Ａ）はガーニッシュの孔部に本体を挿入する状態を示し、図８（Ｂ）は取付後を示す。
【図９】同上、断面説明図である。
【図１０】同上、要部の断面図である。
【図１１】同上、取付作業を説明する説明斜視図である。
【発明を実施するための形態】
【００１５】
以下、図面を参照して、本発明のコネクタハウジングの取付構造の実施例について説明する。
【実施例１】
【００１６】
図１〜図１１は本発明の実施例１を示し、同図に示すように、コネクタハウジングの取付構造は、車両のインストルメントパネルなどの内装材１を被取付部材とし、前記内装材１に貫通形成された取付孔２に、前側である一方側からコネクタハウジング３が挿入されて、該コネクタハウジング３が前記内装材１に取り付けられる。前記内装材１は合成樹脂製である。
【００１７】
前記コネクタハウジング３は、前記取付孔２に挿通する本体４と、この本体４の前側に一体に設けられた縦板状のコネクタ受け部材５とを備え、これら本体４及びコネクタ受け部材５は合成樹脂製である。また、前記コネクタ受け部材５は正面視で縦長の長方形形状をなし、取付孔２の開口縁の一方側に係止し、そのコネクタ受け部材５の上下に後述する外部コネクタを一方側から挿入するコネクタ挿入孔６，６が穿設され、これらコネクタ挿入孔６，６は同一形状であって、横長な長方形形状をなす。さらに、前記コネクタ受け部材５の上下左右は前記本体４より僅かに大きく形成され、そのコネクタ受け部材５の周囲が、係止部たる係止縁部７であり、この係止縁部７が前記取付孔２の周囲の内装材１の前面に当接して係止する。
【００１８】
前記本体４内には、上下にコネクタ８，９が収納され、上のコネクタ８は、上の前記コネクタ挿入孔６に臨んで配置され、下のコネクタ９は、下の前記コネクタ挿入孔６に臨んで配置されている。また、この例では、それらコネクタ８，９は、雌型のＵＳＢコネクタである。
【００１９】
前記本体４は、左右の壁部１１，１１と、これら左右の壁部１１，１１の下部を連結する底部１２とを一体に備え、左右の壁部１１，１１及び底部１２は板状をなす。それら左右の壁部１１，１１の外面１１Ｇ，１１Ｇの間隔は、前記取付孔２の左右寸法に対応し、この取付孔２の左右寸法より広い前記コネクタ受け部材５の左右外周側が、前記係止縁部７の左部７Ｌ及び右部７Ｒである。
【００２０】
前側における前記壁部１１の上縁１３と前記底部１２の下面との間隔が、前記取付孔２の上下の寸法に対応する。また、前記底部１２の下面は前記コネクタ受け部材５の下縁より上方にあり、前記底部１２より下方のコネクタ受け部材５の外周側が前記係止縁部７の下部７Ｋであり、コネクタ受け部材５の前記左右の壁部１１，１１の上縁１３，１３より上部が前記係止縁部７の上部７Ｊであり、図６に示すように、前記上部７Ｊは左右に分かれている。
【００２１】
前記壁部１１の前後方向中央側には、前記上縁１３の後端に連続する縦方向下向きの段差部１４が形成され、この段差部１４の前後が前記壁部１１の前壁部１５と後壁部１６になっている。また、前記前壁部１５の前記上縁１３の前後方向中央側には、縦方向の小段差部１７が形成され、左右の壁部１１，１１の上縁１３，１３間及び段差部１４，１４間は開口している。さらに、前記前壁部１５の前側には、係止部たる係止片２１，２１が上下に間隔を置いて形成され、この係止片２１は前記取付孔２の開口縁の他方の面である内面に係止する。
【００２２】
図５などに示すように、前記係止片２１は、前記壁部１１にコ字型の切欠き溝２２を貫通形成し、この切欠き溝２２は、先端側（前端側）に先端溝部たる縦溝部２２Ｔを設け、この縦溝部２２Ｔの上，下端から後側に向かって横溝部２２Ｙ，２２Ｙを設けてなり、これにより係止片２１は先端側が自由端の弾性片となる。また、図８などに示すように、前記係止片２１の前側の外面に突起部２３を突出形成し、即ち左右の壁部１１，１１の左右外側に係止片２１，２１の突起部２３が形成され、この突起部２３の外面の後側には、後側から前側に向かって外側に傾斜した傾斜案内面２４が形成され、この傾斜案内面２４の前端から前側に向って係止面２５が形成されている。この係止面２５は、前記傾斜案内面２４の前端から本体４の左右方向中央向き（本体４の長さ方向と略直交方向）に形成された横係止面部２５Ａと、この横係止面部２５Ａの内端から前側内向き斜めに形成された斜め係止面部２５Ｂとを有する。また、この斜め係止面部２５Ｂの前端から前側に向かって、先端外面２６が形成され、この先端外面２６は、係止片２１の弾性変形前において、前記壁部１１の外面１１Ｇより左右方向外側に位置し、且つ、該壁部１１の外面１１Ｇと平行で前後方向に向いている。さらに、前記横係止面部２５Ａと前記傾斜案内面２４との間には、前記外面１１Ｇと平行な外端平面部２４Ｈが設けられている。
【００２３】
また、図８に示すように、係止縁部７の後面から斜め係止面部２５Ｂの前端までの長さＬＦと前記取付孔２における内装材１の厚さＴが略等しいか、長さＬＦが厚さＴより多少大きい。この場合、厚さＴは長さＬＦの０．８〜１倍程度の大きさである。また、係止片２１には斜め係止面部２５Ｂが設けられているから、最大で、係止縁部７の後面から横係止面部２５Ａまでの長さＬの厚さＴを有する取付孔２に、本体４を挿通して、コネクタハウジング３を内装材１に取り付けることができる。
【００２４】
前記前壁部１５の後側上部には、前記コネクタ８の側部が係入する係入受け部たる開口部３１が形成され、この開口部３１は前後方向に長く形成されている。また、前記開口部３１と前記上縁１３との間には、前後方向の上桟部３２が形成され、この上桟部３２に連続して前記開口部３１と前記段差部１４との間には、縦桟部３３が形成されている。
【００２５】
図５などに示すように、前記壁部１１には、前記段差部１４の下部に連続して略Ｌ型の切込み溝３４が形成され、この切込み溝３４の縦部３４Ｔと前記開口部３１との間に、前記縦桟部３３の縦桟下部３３Ｔが形成され、前記切込み溝３４の前側に向いた横部３４Ｙと前記開口部３１との間に、前後方向で前向きの下桟部３５が形成され、この下桟部３５は前記上桟部３２より短く形成されている。また、前記上桟部３２と縦桟部３３の角部の外縁には面取り部３６が形成され、同様に前記下桟部３５と縦桟下部３３Ｔの角部の外縁には面取り部３６が形成されている。そして、前記上桟部３２，縦桟部３３及び下桟部３５により、前記開口部３１を弾性変形可能とする外枠部３７を構成している。
【００２６】
そして、図４などに示すように、左右の前記前壁部１５，１５の間の上部空間により、前記コネクタ８を装着するコネクタ取付部１８を構成している。また、本体４における前記コネクタ取付部１８の下部が、本体下部１９である。
【００２７】
前記本体下部１９には、前記左右の壁部１１，１１の間に、図９に示すように収容部材たる基板４１を配置し、この基板４１の左右縁部は前記壁部１１，１１の内面に当接又は近接し、該基板４１により壁部１１，１１の内側への撓みを抑制している。尚、基板４１の前側は、前記コネクタ受け部材５の近傍で、係止片２１と重なり合う位置に配置されている。このようにコネクタ挿入孔６，６側の左右の壁部１１，１１間に、収容部材が配置されている。
【００２８】
取付状態において、前記本体下部１９の前側には、前記コネクタ９が収納されており、前記コネクタ９の導電端子４２が前記基板４１に実装されている。具体的には、図９に示すように、コネクタ９の端子４２を前記基板４１のスルーホール４３に挿通し、その端子４２を半田により基板４１の導電パターンに電気的に接続している。そして、下のコネクタ挿入孔６を通して前記コネクタ９に、外部コネクタたる雄型のＵＳＢコネクタ１０が接続される。
【００２９】
前記本体下部１９の後側には、車両側のハーネスのコネクタ（図示せず）を接続するコネクタ４５が設けられている。このコネクタ４５は、合成樹脂製の接続ケース４６に内蔵されている。この接続ケース４６は、上面部４６Ａ，底面部４６Ｂ及び左，右側面部４６Ｃ，４６Ｃを有し、前記ハーネスのコネクタを接続する接続口４７が後方に開口し、前記接続口４７内には、複数の導電端子４８が設けられ、この端子４８が前記基板４１に実装され、そのＬ形の端子４８の下端を、基板４１のスルーホール４３に挿通し、その端子４８を半田により基板４１の導電パターンに接続している。そして、前記基板４１は、前記端子４２，４８同士を電気的に接続するインターフェース基板であり、図示しない電子部品が実装されている。
【００３０】
前記接続ケース４６は前記本体４と別体に形成され、その接続ケース４６の左，右側面部４６Ｃ，４６Ｃの前側上部の左右に弾性係止片４９，４９を前向きに突設し、図１０に示すように、それら弾性係止片４９，４９を壁部１１，１１の係止孔５０，５０に係止し、また、前記接続ケース４６の底面部４６Ｂの前側左右に弾性係止片４９，４９を前向きに突設し、これら弾性係止片４９，４９を底面部４６Ｂの係止孔５０，５０に係止することにより、本体４に接続ケース４６を一体に組み付け固定している。尚、図中、４６Ｍが接続ケース４６の前縁であり、接続ケース４６の底面部４６Ｂ及び左，右側面部４６Ｃ，４６Ｃは、本体４の底部１２及び両壁部１１，１１と面一に連結され、図５などに示すように、前縁４６Ｍと本体４の後縁とは凹凸嵌合しており、上下方向が正しく位置合わせされている。
【００３１】
図６及び図９などに示すように、前記本体４内には、本体下部１９内の基板４１とコネクタ取付部１８とを仕切るシールド５１が設けられ、このシールド５１は電磁波などを遮断可能な金属板などからなる。シールド５１の後部には段差部５２が設けられ、この段差部５２によりシールド後部５１Ａがシールド５１の前部より高い位置にあり、そのシールド後部５１Ａにより前記端子４８の上方を覆っている。また、前記コネクタ９の端子４２の先端は、金属製などからなるシールドフレーム内に収納されている。尚、シールド５１に比べて基板４１は左右幅広に形成されている。
【００３２】
前記コネクタ取付部１８には、車両側の前記コネクタ８が収納される。このコネクタ８のコネクタケース５５は合成樹脂からなり、そのコネクタケース５５の左右側面後部に、前記開口部３１に嵌入する嵌合突部５６を突設し、コネクタ取付部１８に後方からコネクタ８を挿入することにより、開口部３１に嵌合突部５６が嵌合し、前記コネクタ取付部１８内にコネクタ８が着脱可能に固定される。この固定状態で、コネクタ８の先端が、上段の前記コネクタ挿入孔６に臨んで配置され、コネクタ挿入孔６を通してコネクタ８の先端に、外部コネクタたる雄型のＵＳＢコネクタ１０が接続される。
【００３３】
このようにコネクタ８をコネクタ取付部１８に収納すると、コネクタケース５５の側面が係止片２１，２１の内面に当接又は近接し、好ましくは当接し、これにより係止片２１が内側に撓むことが防止され、係止片２１と取付孔２の開口縁との確実な係止状態を維持することができる。尚、コネクタケース５５の側面が係止片２１の内面に間隔を持って近接している場合は、その間隔分だけ係止片２１が内側に撓んでも、係止片２１が取付孔２から外れない間隔に設定する。
【００３４】
前記コネクタ受け部材５の前面には、前記コネクタ挿入孔６，６を開閉する蓋体６１が設けられている。また、前記コネクタ受け部材５の上部から前側に取付部６２を前向きに突設し、図６に示すように、前記取付部６２の先端側と蓋体６１の上部に取付軸６３を挿通し、この取付軸６３を中心に蓋体６１を開閉自在に設けている。また、取付軸６３には付勢手段であるトーションスプリング６４が外装され、そのトーションスプリング６４により蓋体６１を閉める方向に付勢している。
【００３５】
次に、前記コネクタハウジング３の取付方法について説明する。車両の内装材１に前記取付孔２を形成する。この場合、図１１に示すように、製造時に形成されていた孔６６を加工して取付孔２を拡大して形成することができる。内装材１の前側からコネクタハウジング３の本体４を取付孔２に挿入する。図８に示すように本体４を取付孔２に挿入すると、取付孔２に係止片２１の傾斜案内面２４が当接し、係止片２１が内側に押し込まれるように弾性変形し、傾斜案内面２４が取付孔２を通過することにより、係止片２１が復帰し、内装材１の外面にコネクタ受け部材５の係止縁部７の後面が当接すると共に、取付孔２の開口縁に係止片２１の先端外面２６が近接又は当接する。この状態で、コネクタハウジング３を前側に動かそうとする力が加わっても、取付孔２の後側角部２Ｋは斜め係止面部２５Ｂに当接するため、位置ずれを防止できる。尚、図９及び図１１では、コネクタ８のハーネス５７を図示しているが、他の図面では図示を省略している。
【００３６】
この後、コネクタ取付部１８内に車両側のコネクタ８を挿入し、コネクタケース５５の側面後部の嵌合突部５６が前記開口部３１に嵌入することにより、前記コネクタ取付部１８内にコネクタ８が着脱可能に固定される。これにより左右の壁部１１，１１の上部間の間隔を狭めようとする力に対してコネクタ８が対抗して変形が防止され、また、左右の壁部１１、１１の下部間に基板４１が配置されているため、前記変形が防止され、さらに、コネクタ８により上部左右の係止片２１，２１の内側への変形が防止される。
【００３７】
従って、本体４の左右上下の係止片２１，２１，２１，２１の内側への変形が防止されるため、コネクタ８，９へのＵＳＢコネクタ１０の挿脱の際、コネクタハウジング３に力が加わっても、コネクタハウジング３が抜けることなく、安定した取付状態が得られ、特に、ＵＳＢコネクタ１０の抜き取り時の荷重に耐えることができる取付強度を確保でき、特に振動条件の車両用などに適した構造となる。
【００３８】
また、取付作業においては、コネクタハウジング３を一方向から挿入し、コネクタハウジング３に装着する必要があるコネクタ８を他側で装着するから、取付作業性に優れたコネクタハウジングの取付構造を提供することができる。さらに、コネクタ挿入孔６，６を上下に配置することにより、左右に配置する場合に比べて、スペースを取らず、省スペース化が可能になる。
【００３９】
このように本実施例では、請求項１に対応して、被取付部材たる内装材１に形成された取付孔２に前後方向の一方側からから挿入してコネクタハウジング３を内装材１に取り付けるコネクタハウジングの取付構造であって、コネクタハウジング３は、コネクタ受け部材５と、取付孔２に挿通された本体４とを備え、本体４の左右の壁部１１，１１に形成された係止部たる係止片２１，２１が、内装材１に係止されると共に、コネクタ受け部材５には、上下方向に複数のコネクタ挿入孔６，６が形成され、左右の壁部１１，１１間には、これら左右の壁部１１，１１の撓みを抑える収納部材たる基板４１又は／及びコネクタ８が配置されており、壁部１１の左右に係止片２１，２１の突起部２３が形成されているから、ＵＳＢコネクタ１０の引き抜き時、コネクタハウジング３の撓みを小さくして、コネクタハウジング３の抜けを防止することができる。また、取付作業性に優れ、上下方向に複数のコネクタ挿入孔６，６が形成されているから、省スペース化が可能となる。
【００４０】
このように本実施例では、請求項２に対応して、複数の収納部材を備え、これら複数の収納部材のうち少なくとも１つは基板４１であり、もう一つは取付孔２の他方側から装着されたコネクタ８であるから、異なる用途の収納部材を配置しつつ、コネクタハウジング３の撓みを小さくできる。
【００４１】
このように本実施例では、請求項３に対応して、固定された基板４１に対して、装着されたコネクタ８が上方に配置されているから、コネクタ８の装着作業を容易に行うことができる。
【００４２】
以下、実施例上の効果として、係止片２１には斜め係止面部２５Ｂが設けられているから、最大で、係止縁部７の後面から横係止面部２５Ａまでの長さＬの厚さＴを有する取付孔２に取り付けることができる。また、嵌合突部５６が嵌合する係入受け部たる開口部３１が、外枠部３７内に設けられ、この外枠部３７は弾性変形可能なように外側が開放されているから、開口部３１への嵌合突部５６の嵌合作業を容易に行うことができ、嵌合後は、下桟部３５は上桟部３２より短く形成されているため、確実な嵌合状態を保持できる。
【００４３】
また、蓋体６１は上部をコネクタハウジング３に回動可能に連結しているから、蓋体６１を上側に回動して開くことにより、横開きに比べて、コネクタ挿入孔６への外部コネクタの抜き差し作業を容易に行うことができ、且つ内装材１のスペースを取らない。さらに、コネクタ取付部１８をコネクタハウジング３の上部に設けたから、コネクタ８を装着し易くなる。また、係止片２１は先端外面２６を有し、この先端外面２６は、係止片２１の弾性変形前において、前記壁部１１の外面１１Ｇより左右方向外側に位置するから、取付状態で、取付孔２の開口縁に係止片２１の先端外面２６が近接又は当接し、近接する場合でも、取付孔２の開口縁と係止片２１との間の隙間を小さくすることができ、安定した取付状態が得られる。
【００４４】
尚、本発明は、本実施例に限定されるものではなく、本発明の要旨の範囲内で種々の変形実施が可能である。例えば、実施例では、係止部の形状は実施例に限定されず、適宜選定可能である。また、実施例では、取付孔を加工する後付けの場合を例にして説明したが、製造時に形成した取付孔に本発明の取付構造を用いることができる。
【符号の説明】
【００４５】
１  内装材（被取付部材）
２  取付孔
３  コネクタハウジング
４  本体
５  コネクタ受け部材
６  コネクタ挿入孔
７  係止縁部（係止部）
８  コネクタ（収納部材）
１０  ＵＳＢコネクタ（外部コネクタ）
１１  壁部
１１Ｇ  外面
２１  係止片（係止部）
４１  基板（収納部材）
【図１】
2019121570.tif 000003
【図２】
2019121570.tif 000004
【図３】
2019121570.tif 000005
【図４】
2019121570.tif 000006
【図５】
2019121570.tif 000007
【図６】
2019121570.tif 000008
【図７】
2019121570.tif 000009
【図８】
2019121570.tif 000010
【図９】
2019121570.tif 000011
【図１０】
2019121570.tif 000012
【図１１】
2019121570.tif 000013